(57)【要約】【課題】  裏表両面の表示が可能で、かつその表示面での入力が可能な入力装置を薄型、軽量化する。【解決手段】  互いに電気的に接続された第１センサ基板４ａと第２センサ基板４ｂとを、電界遮蔽層５を挟んで対向配置して入力パネル６とし、前記両センサ基板４ａ、４ｂの外面側にそれぞれ液晶パネル１，２を積層配置する。【選択図】        図１
2006338496.tif 000002
【特許請求の範囲】
【請求項１】
座標検出装置を備えてなる表示装置であって、
互いに電気的に接続された第１センサ基板と第２センサ基板と該第１センサ基板及び第２センサ基板との間に配置された電界遮蔽層とを有して構成された入力パネルと、
該入力パネルの一方の面側に積層配置された第１表示パネルと、
該入力パネルの他方の面側に積層配置された第２表示パネルとを、
備えてなることを特徴とする表示装置。
【請求項２】
前記入力パネルの前記一方の面側に第１照明装置及び前記第１表示パネルが順に積層配置され、前記入力パネルの前記他方の面側に第２照明装置及び前記第２表示パネルが順に積層配置されてなることを特徴とする請求項１記載の表示装置。
【請求項３】
前記第１センサ基板と前記第２センサ基板とがフレキシブル配線基板で接続されていることを特徴とする請求項１又は２に記載の表示装置。
【請求項４】
前記第１センサ基板と前記第２センサ基板とが１枚のフレキシブル基板に形成されていることを特徴とする請求項１又は２に記載の表示装置。
【請求項５】
表示パネルが液晶パネルであることを特徴とする請求項１ないし請求項４のいずれか一項に記載の表示装置。
【請求項６】
請求項１ないし請求項５のいずれか一項に記載の表示装置を備えたことを特徴とする入力装置。
【請求項７】
請求項１ないし請求項５のいずれか一項に記載の表示装置、または請求項６記載の入力装置を備えてなることを特徴とする電子機器。
【発明の詳細な説明】
【技術分野】
【０００１】
本発明は、表示装置、入力装置、及び電子機器に関するものである。
【背景技術】
【０００２】
画像表示を行う液晶パネルの前面側又は背面側に座標入力装置（タブレット）を配設し、ペンや手指によるポインティング動作を可能にした表示装置が知られている。例えば特許文献１には、液晶パネルの背面側に電磁誘導型のタブレットを配設したものが開示されている。
【特許文献１】特開平９−１６０７０７号公報
【発明の開示】
【発明が解決しようとする課題】
【０００３】
ところで近年、筐体の両面に表示部を備えた携帯電話機が登場しており、このような両面型の表示装置においても表示面をペン等で指示することでポインティング動作が行えると便利である。しかし、特許文献１に記載の表示装置を２個背中合わせに設けたのでは、表示部の厚さが著しく大きくなり、薄型、軽量であることを要する携帯電話機等においては極めて不都合である。
【０００４】
本発明は、上記従来技術の問題点に鑑み成されたものであって、２画面表示が可能であり、かつ表示面を介した座標入力が可能であって、薄型、軽量の表示装置を提供することを目的としている。また本発明は、両面で互いに独立な座標入力を可能とした薄型の入力装置を提供することを目的としている。
【課題を解決するための手段】
【０００５】
本発明の表示装置は、座標検出装置を備えてなる表示装置であって、互いに電気的に接続された第１センサ基板と第２センサ基板と該第１センサ基板及び第２センサ基板との間に配置された電界遮蔽層とを有して構成された入力パネルと、該入力パネルの一方の面側に積層配置された第１表示パネルと、該入力パネルの他方の面側に積層配置された第２表示パネルとを、備えてなることを特徴とする。
【０００６】
本発明の表示装置では、電界遮蔽層を挟んで第１センサ基板と第２センサ基板とを対向配置して入力パネルとすることで、１枚の電界遮蔽層を両センサ基板で共用するので、２つのセンサ基板を背中合わせに設けた場合に比して、薄型とすることができる。
加えて、２つのセンサ基板は互いに電気的に接続されているので、入力情報を処理するドライバをも共用することができ、その点においても薄型、軽量化が可能となる。
よって、２画面表示ができ、かつその両面において独立な座標入力が可能な薄型、軽量の表示装置を提供できる。
【０００７】
本発明の表示装置にあっては、前記入力パネルの前記一方の面側に第１照明装置及び前記第１表示パネルが順に積層配置され、前記入力パネルの前記他方の面側に第２照明装置及び前記第２表示パネルが順に積層配置されてなる構成とすることができる。すなわち、各表示パネルにバックライトを具備した構成とする場合には、入力パネルと第１表示パネル及び第２表示パネルとの間に、それぞれ第１照明装置及び第２照明装置を設けた構成が採用できる。
【０００８】
本発明の表示装置にあっては、前記第１センサ基板と第２センサ基板とがフレキシブル配線基板で接続されていることが好ましい。フレキシブル配線基板を用いて接続を行えば、接続部を屈曲させることができるので、両センサ基板間の接続距離を狭めることができ、より一層の薄型、軽量化を図ることができる。
【０００９】
さらに本発明の表示装置にあっては、第１センサ基板と第２センサ基板とが１枚のフレキシブル基板に形成されていることが好ましい。両センサ基板を一体化することで、構成がより簡略化できるので、さらなる薄型、軽量化が可能となる。また、フレキシブル基板は、筐体内の限定されたスペースに沿って屈曲させることができるので、収納スペースをより一層、小さくすることができ、薄型、軽量化が可能となる。
【００１０】
前記表示パネルは、液晶パネルであることが好ましい。液晶パネルもまた、薄型、軽量化が可能であるので、これによっても表示装置の薄型、軽量化を図れる。
【００１１】
本発明の入力装置は、前記本発明の表示装置を備えたことを特徴とする。本発明の表示装置は、前述したように、入力パネルの両面に２つの表示パネルをそれぞれ積層配置してなるものであるので、各センサ基板に対応して、両面で互いに独立な座標入力を可能とした薄型で軽量の入力装置とすることができる。
【００１２】
さらに本発明の電子機器は、前記の表示装置または入力装置を備えてなることを特徴とする。
このような電子機器にあっては、電子機器の両面に表示面を有するので、２画面表示が可能な薄型、軽量の電子機器となる。さらに、それぞれに独立な座標入力が可能な入力装置を備えたものなので、表示面の各画面に応じて、ペン等を用いてポインティング動作による入力ができる薄型で軽量の電子機器を提供できる。
【発明を実施するための最良の形態】
【００１３】
以下、本発明の一実施の形態を図面を参照して説明する。なお、本実施形態で示す図面においては、図面を見やすくするため、各構成要素の膜厚や寸法の比率などは適宜異ならせてある。
図１は本発明の表示装置の一実施形態である液晶表示装置１００の概略構成を示す断面図である。
【００１４】
この液晶表示装置１００はタブレットを背面に備えたものであって、図１に示すように、入力パネル６と、この入力パネル６を挟持するよう配置された液晶パネル（表示パネル）１、２と照明装置３ａ、３ｂとを、筐体７に収容してなるものである。
【００１５】
液晶パネル１、２としては、種々の方式のものを用いることができる。すなわち、液晶パネル１、２は、透過型、反射型、あるいは半透過反射型のいずれの表示方式のものであっても問題なく用いることができ、その駆動方式についても、アクティブマトリクス型、パッシブマトリクス型の種別を問わず適用できる。
【００１６】
入力パネル６は電磁誘導方式のタブレットのセンサ部となるものであって、液晶パネル１、２の背面側に配置されている。
入力パネル６は第１センサ基板４ａと第２センサ基板４ｂと電界遮蔽層５とからなる。第１センサ基板４ａと第２センサ基板４ｂとは、ともに座標検出用のセンサコイル線を基板上に配設してなるものであり、典型的には、前記基板の一面にＸ軸方向センサコイル線を形成し、他面にＹ軸方向センサコイル線を形成したものが用いられる。第１センサ基板４ａと第２センサ基板４ｂとは互いに電気的に接続されており、電界遮蔽層５を挟んで対向配置されており、検出された信号を処理する処理回路（図示略）に接続されている。
電界遮蔽層５は電界を遮蔽できる導電性を有するものであれば特に限定されるものではなく、たとえば銅などの金属箔のほか、基板に導電性薄膜を積層してなるものなどである。
【００１７】
本発明の表示装置にあっては、第１センサ基板４ａと第２センサ基板４ｂとを対向配置して互いに電気的に接続すると共に、１枚の電界遮蔽層５を共用することによって、その構成の簡略化を行うことができるので薄型、軽量化が可能となる。また、両センサ基板は互いに電気的に接続されているので、検出された信号を処理する処理回路をも共用することができ、これによっても、表示装置を薄型、軽量化できる。
【００１８】
さらに、本実施形態にあっては、第１センサ基板４ａと第２センサ基板４ｂとは、１枚のフレキシブル配線基板４上に前記センサコイル線を形成してなるものである。フレキシブル配線基板４はその途中部分においてＵ字型に屈曲させて、前記センサコイル線の形成領域が液晶パネル１、２の各背面と対向するように配設されている。そしてこのＵ字型の屈曲空間部中に電界遮蔽層５が収容されている。
このようにすると、フレキシブル配線基板４上に、第１液晶パネル１に対応するセンサコイル線と、第２液晶パネル２に対応するセンサコイル線とを形成し、これらを処理回路に接続すれば良いので、２表示面からの入力を行う場合にも、各面に対応してそれぞれに処理回路とセンサ基板とを備えた入力パネルを配設する必要がなく、更なる表示装置の薄型、軽量化が可能となる。
【００１９】
また、本発明の液晶表示装置にあっては、２枚のリジッド基板を用意し、このリジッド基板表面にセンサコイル線をそれぞれ配設して第１センサ基板４ａと第２センサ基板４ｂとし、両センサ基板をフレキシブル配線基板によって接続してもよい。この場合であっても、第１および第２センサ基板４ａ、４ｂとを可撓性を持った状態で電気的に接続することにより、その接続部を屈曲できるので、接続部の占有部を小さくして入力パネル６を薄型、軽量化できる。
【００２０】
第１液晶パネル１と第２液晶パネル２とは、筐体７の裏表をなす表面の開口部に配設されており、筐体７の両面において、２画面表示ができるようになっている。第１液晶パネル１と第２液晶パネル２は、共にドライバＩＣや電源ＩＣ等、および上記タブレットの処理回路などが実装されたメイン配線基板（図示せず）に接続されている。第１照明装置３ａと第２照明装置３ｂとは、各液晶パネル１、２に対応して、各々のバックライトとなるものであって、ＬＥＤなどの光源（図示せず）と、この光源からの発光光を面発光として出射する導光板とからなる。導光板には、必要に応じて各種の光学部材を設けられてもよい。たとえば、より均一な面発光を得るために導光板の出射面側に設けられる拡散シートや、効率良い出射を行うために導光板の裏面側に設けられる反射シートなどである。
【００２１】
第１照明装置３ａと第２照明装置３ｂとは、それぞれ対応する第１液晶パネル１、第２液晶パネル２の背面となる位置に配設されており、さらに各照明装置３ａ、３ｂの各背面側には入力パネル６が配置されている。このような配置によれば、タブレットの入力パネル６が液晶パネル１、２の背面側に配置されることとなる。したがって、液晶パネル１、２での画面が入力パネル６によって妨げられることがなく、明るく鮮明な表示を得ることができる。また、入力パネル６に対する座標入力動作に際しても、表示面を直接的に指示することができるため、良好な操作感を得ることができる。
【００２２】
このように本実施形態によれば、２つの液晶パネル１、２を互いに背中合わせの状態で設けた２画面表示型の表示装置であっても、入力パネル６を構成する第１センサ基板４ａと第２センサ基板４ｂとを電気的に接続すると共に、これら両センサ基板の間に電界遮蔽層５を挟むことにより、その構成を簡略化して、薄型、軽量化することができる。
【００２３】
さらに本発明の表示装置は、筐体７の両面に設けられた液晶パネル１、２の表示面をペン等のポインティングデバイスによって指示することで、液晶パネル１，２の背面側の第１センサ基板４ａおよび第２センサ基板２ｂにて、それぞれ独立して座標検出ができるので、２画面の表示面からそれぞれ独立した入力動作を行うことができる。そして本発明の入力装置は、前述したように、薄型、軽量化された表示装置を用いたものであるので、自ずから薄型で軽量のものとなる。
【００２４】
なお、本実施形態では、電磁誘導方式によって座標検出を行うタブレットを用いて説明しているが、本発明の表示装置はこれに限定されるものではなく、座標検出用の入力パネルを表示パネルの背面側に配置可能なものであれば、その他の方式であってもよい。
【００２５】
次に、図２、図３を参照して、本発明の電子機器について説明する。本発明の電子機器の一実施例である携帯電話機１０００は、図２に示す折り畳み状態と、図３に示す使用状態とを備えた折り畳み式の携帯電話機であって、本体部１００１と、表示体部１００２とを有している。
【００２６】
表示体部１００２の内部には、上記液晶表示装置１００が配置され、表示体部１００２にて表側表示面１００３と、裏側表示面１００４にて表示画面を視認できるように構成されている。そして、表側表示面１００３と裏側表示面１００４とのそれぞれでペン等によるポインティング動作を行うことで、座標入力を行えるようになっている。このような携帯電話機１０００は、２画面表示型であり、かつその２画面にて独立した入力が可能であるにも関わらず、薄型、軽量のものとなる。
【００２７】
以上、本発明の表示装置、入力装置、および電子機器に係る携帯電話機の実施形態をそれぞれ示したが、本発明はこれに限定されるものではなく、本発明の要旨を逸脱しない範囲内において種々の変更を加えることが可能である。
【図面の簡単な説明】
【００２８】
【図１】本発明の一実施形態の液晶表示装置の概略構成を示す断面図。
【図２】本発明の一実施形態の電子機器の折り畳み状態を示す斜視図。
【図３】図２の電子機器の使用状態を示す斜視図。
【符号の説明】
【００２９】
１…第１液晶パネル（第１表示パネル）、２…第２液晶パネル（第２表示パネル）、３ａ…第１照明装置、３ｂ…第２照明装置、４ａ…第１センサ基板、４ｂ…第２センサ基板、５…電界遮蔽層、６…入力パネル、１００…液晶表示装置。
【図１】
2006338496.tif 000003
【図２】
2006338496.tif 000004
【図３】
2006338496.tif 000005